(57)【要約】【課題】複数の画像を表示可能であって、コンパクトな表示具ユニットを提供する。【解決手段】表示具ユニット１は、所定の厚みを有し、内部に本体空間部３を有するコの字状の本体フレーム２と、少なくとも一つのサブフレーム２０を備える。本体空間部３は、少なくとも両側の本体内側面７に本体係合部４を備え、サブフレーム２０は、サブ係合部４０を備える。サブフレーム２０は、本体空間部３に着脱可能であり、本体空間部３は、サブフレーム２０が装着されていない状態において、本体係合部４に本体表示物２８、又は本体表示物２８を支持する本体表示部材１０と係合可能である。サブフレーム２０は、サブ係合部４０にサブ表示物２８０、又はサブ表示物２８０を支持するサブ表示部材１００と係合可能である。【選択図】図１
2020178946.tif 000002
【特許請求の範囲】
【請求項１】
所定の厚みを有し、内部に本体空間部を有するコの字状の本体フレームと、少なくとも一つのサブフレームを備え、
前記本体フレームの外形を形成する面のうち、開放された側の面を本体天面、前記本体天面に対向する側の面を本体外底面、前記本体天面と前記本体外底面とを繋ぐ両側の面を本体外側面とし、
前記本体空間部を形成する面のうち、前記本体外底面の内側を本体内底面、両側の前記本体外側面の内側を本体内側面とし、
前記本体空間部は、少なくとも両側の前記本体内側面に本体係合部を備え、
前記サブフレームは、サブ係合部を備え、
前記サブフレームは、前記本体空間部に着脱可能であり、
前記本体空間部は、前記サブフレームが装着されていない状態において、前記本体係合部に本体表示物、又は前記本体表示物を支持する本体表示部材と係合可能であり、
前記サブフレームは、前記サブ係合部にサブ表示物、又は前記サブ表示物を支持するサブ表示部材と係合可能であることを特徴とする表示具ユニット。
【請求項２】
前記本体表示物と前記サブ表示物とは異なる形態であり、前記サブフレームは前記本体空間部とは異なる形態の表示物を支持可能であることを特徴とする請求項１に記載の表示具ユニット。
【請求項３】
前記本体表示部材は、複数の本体板状部材を備え、
前記サブ表示部材は、複数のサブ板状部材を備え、
前記本体板状部材の少なくとも一つは透明であり、
前記サブ板状部材の少なくとも一つは透明であり、
前記本体表示部材は、前記本体表示物を前記本体板状部材で挟んだ状態で前記本体係合部に着脱可能であり、
前記サブ表示部材は、前記サブ表示物を前記サブ板状部材で挟んだ状態で前記サブ係合部に着脱可能であることを特徴とする請求項１又は２に記載の表示具ユニット。
【請求項４】
前記本体係合部は、本体凹部が形成され、
前記サブ係合部は、サブ凹部が形成され、
前記本体表示物、又は前記本体表示物を支持する前記本体表示部材は、前記本体凹部に着脱可能であり、
前記サブ表示物、又は前記サブ表示物を支持する前記サブ表示部材は、前記サブ凹部に着脱可能であることを特徴とする請求項１から３のいずれかに記載の表示具ユニット。
【請求項５】
前記サブフレームが前記本体空間部に装着されたとき、
前記本体内底面又は前記本体内側面と、前記サブフレームとが接触する部分の少なくとも一部には、第一接合部材が備えられたことを特徴とする請求項１から４のいずれかに記載の表示具ユニット。
【請求項６】
前記サブフレームは、内部にサブ空間部を有するコの字状の形態であり、
前記サブフレームの外形を形成する面のうち、開放された側の面をサブ天面、前記サブ天面に対向する側の面をサブ外底面、前記サブ天面と前記サブ外底面とを繋ぐ両側の面をサブ外側面とし、
前記サブフレームが前記本体空間部に装着されたとき、前記本体内底面又は前記本体内側面のうちの少なくとも一部と、前記サブ外底面、前記サブ天面、又は前記サブ外側面のうちの少なくとも一部とが接触した状態であることを特徴とする請求項１から４のいずれかに記載の表示具ユニット。
【請求項７】
前記本体フレーム、又は前記サブフレームの少なくとも一方に着脱可能な脚部を備え、
前記脚部は、前記本体空間部又は前記サブ空間部に収納可能であり、
前記脚部は一部に脚部凹部を備え、
前記脚部凹部は、少なくとも前記本体表示物、前記本体表示部材、前記サブ表示物、及び前記サブ表示部材のいずれかと係合可能であり、
前記本体フレーム、又は前記サブフレームの少なくともいずれかは、前記脚部が装着可能であることを特徴とする請求項６に記載の表示具ユニット。
【請求項８】
両側の前記サブ外側面は、前記本体係合部に係合する第一サブ外係合部を備え、
前記サブフレームは、前記本体空間部に対して前記第一サブ外係合部が前記本体係合部と係合しながら着脱可能であることを特徴とする請求項６又は７に記載の表示具ユニット。
【請求項９】
前記サブフレームは少なくとも第一サブフレーム及び第二サブフレームの複数個備えられ、
前記サブ表示物は、複数の形態を有し、
前記サブフレームは、複数の形態の前記サブ表示物又は前記サブ表示部材と係合可能であることを特徴とする請求項１から８のいずれかに記載の表示具ユニット。
【請求項１０】
前記第一サブフレームと、前記第二サブフレームとが接触する部分の少なくとも一部には、第二接合部材が備えられたことを特徴とする請求項９に記載の表示具ユニット。
【請求項１１】
前記第二サブフレームの両側の第二サブ外側面は、第二サブ外係合部を備え、
前記第二サブ外係合部は、前記第一サブフレームの前記サブ係合部である第一サブ係合部に係合し、
前記第二サブフレームは、前記第一サブフレームの第一サブ空間部に対して前記第二サブ外係合部が前記第一サブ係合部と係合しながら着脱可能であることを特徴とする請求項９に記載の表示具ユニット。
【請求項１２】
前記本体空間部に前記サブフレームが装着されたとき、前記本体フレームと前記サブフレームとの模様が繋がることを特徴とする請求項１から１１のいずれかに記載の表示具ユニット。
【請求項１３】
前記本体フレームの両側の前記本体外側面は連結部を備え、
前記連結部にて連結され、前記本体フレームに対して開閉可能な扉部を備え、
前記扉部は、第一扉部及び第二扉部とからなり、
前記連結部は、第一扉連結部と第二扉連結部とからなり、
前記第一扉部は、前記第一扉連結部によって前記本体フレームの一方の前記本体外側面と連結され、
前記第二扉部は、前記第二扉連結部によって前記本体フレームの他方の前記本体外側面と連結され、
前記本体フレームに対して前記扉部が閉じられる側を第一面側、前記第一面側の反対側を第二面側としたとき、
前記第一扉部及び前記第二扉部が閉じられた状態で、前記本体空間部は、前記第二面側と前記本体天面の側とが開放された収納空間となり、
前記サブフレームは、前記収納空間に収納可能であることを特徴とする請求項１から１２のいずれかに記載の表示具ユニット。
【請求項１４】
前記サブフレームのうちの一つである支持サブフレームは、第一接続部を備え、
一方の前記扉部は、前記第一接続部と接続される第二接続部を備え、
前記支持サブフレームと一方の前記扉部とは、前記第一接続部と前記第二接続部とで接続され、前記連結部において回転し、
他方の前記扉部は、前記連結部において回転したとき、接地面側として設置可能なことを特徴とする請求項１３に記載の表示具ユニット。
【請求項１５】
前記支持サブフレームは、さらに第三接続部を備え、
他方の前記扉部は、前記第三接続部と接続される第四接続部を備え、
前記第三接続部と前記第四接続部とが接続されたとき、接続された前記支持サブフレームと一方の前記扉部は、他方の前記扉部と接続された状態となり、
前記本体フレームと、接続された前記支持サブフレームと一方の前記扉部と、他方の前記扉部とによって形成される三角形状が形成されることを特徴とする請求項１４に記載の表示具ユニット。
【請求項１６】
前記本体空間部に前記サブフレームが装着され、前記第一扉部と前記第二扉部とが開かれたとき、
少なくとも前記第一面側又は前記第二面側において、前記第一扉部、前記本体フレーム、前記サブフレーム、及び前記第二扉部との模様が繋がることを特徴とする請求項１３から１５のいずれかに記載の表示具ユニット。
【発明の詳細な説明】
【技術分野】
【０００１】
本発明は、複数枚の写真、絵画、その他表示物を表示可能とするための表示具ユニットに関する。
【背景技術】
【０００２】
従来、複数の画像を切り替えて表示可能である写真立てが提案されている。例えば、特許文献１に記載の写真立て及びアルバムのうちの写真立ては、凹嵌部を備える本体フレームと、写真画像等の画像を備えると共に凹嵌部に着脱自在に嵌合して画像を表示するサブフレームとを備える。写真立ては、凹嵌部の底面に、サブフレームに備える画像と異なる画像を設けてある。
【０００３】
サブフレームは、本体フレームに備える画像に対して垂直方向に着脱するものである。本体フレームに備える画像の表面には、アクリル板を被覆させてある。サブフレームが本体フレームに対して繰り返し着脱される場合であっても、本体フレームの画像が損傷することを防止する。
【先行技術文献】
【特許文献】
【０００４】
【特許文献１】実登３２０１９８３号公報
【発明の概要】
【発明が解決しようとする課題】
【０００５】
しかしながら、従来例の写真立てにおいて、本体フレームはサブフレームを支持するために一定の厚みを有する案内部が必要となる。サブフレームは本体フレームに取り付けられたときに一部が厚み方向に突出している。よって、全体の厚みが厚くなるという問題があった。
【０００６】
また、案内部は本体フレームとは別の部品を用意して構成する必要がある。サブフレームも同様に、案内部に対応した枠体が必要となる。よって、制作工数とコストがかかるという問題があった。
【０００７】
また、本体フレームに備える画像の表面には、アクリル板を被覆させてあって本体フレームの画像が損傷することを防止するが、アクリル板は損傷を受けるため、見栄えが悪くなるという問題があった。
【０００８】
本発明の目的は、従来の課題を解決すべくなされたものであり、複数の画像を表示可能であって、コンパクトな表示具ユニットを提供することにある。
【課題を解決するための手段】
【０００９】
本発明の態様に係る表示具ユニットは、所定の厚みを有し、内部に本体空間部を有するコの字状の本体フレームと、少なくとも一つのサブフレームを備え、前記本体フレームの外形を形成する面のうち、開放された側の面を本体天面、前記本体天面に対向する側の面を本体外底面、前記本体天面と前記本体外底面とを繋ぐ両側の面を本体外側面とし、前記本体空間部を形成する面のうち、前記本体外底面の内側を本体内底面、両側の前記本体外側面の内側を本体内側面とし、前記本体空間部は、少なくとも両側の前記本体内側面に本体係合部を備え、前記サブフレームは、サブ係合部を備え、前記サブフレームは、前記本体空間部に着脱可能であり、前記本体空間部は、前記サブフレームが装着されていない状態において、前記本体係合部に本体表示物、又は前記本体表示物を支持する本体表示部材と係合可能であり、前記サブフレームは、前記サブ係合部にサブ表示物、又は前記サブ表示物を支持するサブ表示部材と係合可能であることを特徴とする。
【００１０】
これによれば、表示具ユニットのサブフレームは本体空間部に着脱可能なので、サブフレームを装着した状態でも所定の厚みに納めることができる。本体空間部は、少なくとも両側の本体内側面に本体係合部を備え、サブフレームはサブ係合部を備えるので、案内部に対応した枠体が不要である。本体フレームは、サブ表示物、及びサブ表示部材に接触しないので傷つけることは無く、サブフレームは、本体表示物、及び本体表示部材に接触しないので傷つけることはないという効果がある。
【００１１】
表示具ユニットは、サブフレームを本体空間部に着脱可能なので、複数のフレームをコンパクトに収めることができる。本体空間部は、サブフレームが装着されていない状態において、本体係合部に本体表示物、又は本体表示物を支持する本体表示部材と係合可能である。よって、本体空間部は、本体表示物を表示できるとともにサブフレームを着脱することができる。サブフレームは、サブ係合部にサブ表示物、又はサブ表示物を支持するサブ表示部材と係合可能である。よって、サブフレームは、サブ表示物を表示できる。表示具ユニットは、複数の表示物を表示可能であるという効果がある。
【００１２】
また、前記表示具ユニットは、前記本体表示物と前記サブ表示物とは異なる形態であり、前記サブフレームは前記本体空間部とは異なる形態の表示物を支持可能でもよい。この場合、一つの表示具ユニットで複数の形態の表示物を表示できるという効果がある。
【００１３】
また、前記表示具ユニットは、前記本体表示部材が複数の本体板状部材を備え、前記サブ表示部材は、複数のサブ板状部材を備え、前記本体板状部材の少なくとも一つは透明であり、前記サブ板状部材の少なくとも一つは透明であり、前記本体表示部材は、前記本体表示物を前記本体板状部材で挟んだ状態で前記本体係合部に着脱可能であり、前記サブ表示部材は、前記サブ表示物を前記サブ板状部材で挟んだ状態で前記サブ係合部に着脱可能であってもよい。
【００１４】
この場合、本体表示部材は、本体表示物を透明の部材を含む本体板状部材で挟んだ状態で本体係合部に着脱可能なので、本体表示物の表面をカバーした状態で本体係合部に係合して表示できる。サブ表示部材は、サブ表示物をサブ板状部材で挟んだ状態でサブ係合部に着脱可能なので、サブ表示物の表面をカバーした状態でサブ係合部に係合して表示できるという効果がある。
【００１５】
また、前記表示具ユニットの前記本体係合部は、本体凹部が形成され、前記サブ係合部は、サブ凹部が形成され、前記本体表示物、又は前記本体表示物を支持する前記本体表示部材は、前記本体凹部に着脱可能であり、前記サブ表示物、又は前記サブ表示物を支持する前記サブ表示部材は、前記サブ凹部に着脱可能でもよい。
【００１６】
この場合、表示具ユニットは、本体表示物単独で、又は本体表示物を本体板状部材で挟んだ状態で本体凹部に着脱可能なので、本体係合部は本体内側面から突出しない。よって、本体表示物は広い表示範囲を形成できる。また、表示部ユニットは、サブ表示物単独で、又はサブ表示物をサブ板状部材で挟んだ状態でサブ凹部に着脱可能なので、サブ係合部はサブ内側面から突出しない。よって、サブ表示物は広い表示範囲を形成できるという効果がある。
【００１７】
また、前記表示具ユニットは、前記サブフレームが前記本体空間部に装着されたとき、
前記本体内底面又は前記本体内側面と、前記サブフレームとが接触する部分の少なくとも一部には、第一接合部材が備えられてもよい。この場合、サブフレームを本体空間部に装着する時、本体フレームとサブフレームとが確実に接触した状態となり、安定するという効果がある。
【００１８】
また、前記表示具ユニットは、前記サブフレームが内部にサブ空間部を有するコの字状の形態であり、前記サブフレームの外形を形成する面のうち、開放された側の面をサブ天面、前記サブ天面に対向する側の面をサブ外底面、前記サブ天面と前記サブ外底面とを繋ぐ両側の面をサブ外側面とし、前記サブフレームが前記本体空間部に装着されたとき、前記本体内底面又は前記本体内側面のうちの少なくとも一部と、前記サブ外底面、前記サブ天面、又は前記サブ外側面のうちの少なくとも一部とが接触した状態でもよい。
【００１９】
この場合、サブフレームは、本体内底面又は本体内側面のうちの少なくとも一部に、サブ外底面、サブ天面、又はサブ外側面のうちの少なくとも一部が接触した状態で本体空間部に装着される。よって、本体フレームの本体外底面、又は本体外側面を接地面として設置したときに、サブフレームを安定して本体空間部に装着できるという効果がある。また、サブフレームは、内部にサブ空間部を有するコの字状の形態なので、開放された側のサブ天面の側から表示物を容易に着脱できるという効果がある。
【００２０】
また、前記表示具ユニットは、前記本体フレーム、又は前記サブフレームの少なくとも一方に着脱可能な脚部を備え、前記脚部は、前記本体空間部又は前記サブ空間部に収納可能であり、前記脚部は一部に脚部凹部を備え、前記脚部凹部は、少なくとも前記本体表示物、前記本体表示部材、前記サブ表示物、又は前記サブ表示部材の少なくともいずれかと係合可能であり、前記本体フレーム、又は前記サブフレームの少なくともいずれかは、前記脚部が装着可能でもよい。
【００２１】
この場合、脚部は、本体空間部又はサブ空間部に収納可能なので収納性が良く、使用しないときに紛失することを防止できる。また、脚部は、本体フレーム又はサブフレームを支える機能と、本体表示部材又はサブ表示部材を支持する二つの機能を備えるので、表示物の形態、数に応じて使い分けることができるという効果がある。
【００２２】
また、前記表示具ユニットは、両側の前記サブ外側面が前記本体係合部に係合する第一サブ外係合部を備え、前記サブフレームは、前記本体空間部に対して前記第一サブ外係合部が前記本体係合部と係合しながら着脱可能でもよい。この場合、第一サブ外係合部は、本体係合部の本体凹部に案内されて装着されるので、装着位置が明確となり、スムーズに着脱できる。
【００２３】
また、前記表示具ユニットは、前記サブフレームは少なくとも第一サブフレーム及び第二サブフレームの複数個備えられ、前記サブ表示物は、複数の形態を有し、前記サブフレームは、複数の形態の前記サブ表示物又は前記サブ表示部材と係合可能でもよい。この場合、複数のサブフレームは、それぞれ異なるサブ表示物を表示することができるので、一つの表示具ユニットで複数の形態の表示物を表示できるという効果がある。
【００２４】
また、前記表示具ユニットは、前記第一サブフレームと、前記第二サブフレームとが接触する部分の少なくとも一部には、第二接合部材が備えられてもよい。この場合、第一サブフレームと第二サブフレームとが確実に接触した状態で固定され、安定するという効果がある。
【００２５】
また、前記表示具ユニットは、前記第二サブフレームの両側の第二サブ外側面が、第二サブ外係合部を備え、前記第二サブ外係合部は、前記第一サブフレームの前記サブ係合部である第一サブ係合部に係合し、前記第二サブフレームは、前記第一サブフレームの第一サブ空間部に対して前記第二サブ外係合部が前記第一サブ係合部と係合しながら着脱可能でもよい。
【００２６】
この場合、第二サブ外係合部は、第一サブ係合部に案内されて装着されるので、装着位置が明確となり、スムーズに着脱できるという効果がある。
【００２７】
また、前記表示具ユニットは、前記本体空間部に前記サブフレームが装着されたとき、前記本体フレームと前記サブフレームとの模様が繋がってもよい。この場合本体フレームとサブフレームの模様が繋がるので、目視したユーザーに対して一体感を与えることができ、見栄えが良い。
【００２８】
また、前記表示具ユニットは、前記本体フレームの両側の前記本体外側面が連結部を備え、前記連結部にて連結され、前記本体フレームに対して開閉可能な扉部を備え、前記扉部は、第一扉部及び第二扉部とからなり、前記連結部は、第一扉連結部と第二扉連結部とからなり、前記第一扉部は、前記第一扉連結部によって前記本体フレームの一方の前記本体外側面と連結され、前記第二扉部は、前記第二扉連結部によって前記本体フレームの他方の前記本体外側面と連結され、前記本体フレームに対して前記扉部が閉じられる側を第一面側、前記第一面側の反対側を第二面側としたとき、前記第一扉部及び前記第二扉部が閉じられた状態で、前記本体空間部は、前記第二面側と前記本体天面の側とが開放された収納空間となり、前記サブフレームは、前記収納空間に収納可能でもよい。
【００２９】
この場合、第一扉部及び第二扉部が閉じられた状態で、本体空間部は、第二面側と本体天面の側とが開放された収納空間となるので、サブフレームは第一扉部及び第二扉部に沿わせて収納空間に収納できる。よって、表示具ユニットはサブユニットを収まり良く収納できる。
【００３０】
また、前記表示具ユニットは、前記サブフレームのうちの一つである支持サブフレームは、第一接続部を備え、一方の前記扉部は、前記第一接続部と接続される第二接続部を備え、前記支持サブフレームと一方の前記扉部とは、前記第一接続部と前記第二接続部とで接続され、前記連結部において回転し、他方の前記扉部は、前記連結部において回転したとき、接地面側として設置可能でもよい。
【００３１】
この場合、本体フレームは本体外底面を接地面側として設置するときとは異なる方向で設置することができる。よって、表示具ユニットは本体フレームにおいて、本体外底面を接地面側とする場合と第一扉部又は第二扉部のいずれか一方を接地面側とすることで、異なる向きの本体表示物を表示することができる。
【００３２】
また、前記表示具ユニットは、前記支持サブフレームは、さらに第三接続部を備え、他方の前記扉部は、前記第三接続部と接続される第四接続部を備え、前記第三接続部と前記第四接続部とが接続されたとき、接続された前記支持サブフレームと一方の前記扉部は、他方の前記扉部と接続された状態となり、前記本体フレームと、接続された前記支持サブフレームと一方の前記扉部と、他方の前記扉部とによって三角形状が形成されてもよい。
【００３３】
この場合、表示具ユニットは三角形状が形成されるので、第一扉部又は第二扉部のいずれか一方を接地面側として設置したときに安定した状態となる。
【００３４】
また、前記表示具ユニットは、前記本体空間部に前記サブフレームが装着され、前記第一扉部と前記第二扉部とが開かれたとき、少なくとも前記第一面側又は前記第二面側において、前記第一扉部、前記本体フレーム、前記サブフレーム、及び前記第二扉部との模様が繋がってもよい。
【００３５】
この場合、表示具ユニットは、第一扉部、本体フレーム、サブフレーム、及び第二扉部との模様が繋がるので、目視したユーザーに対して一体感を与えることができ、見栄えが良い。
【図面の簡単な説明】
【００３６】
【図１】本発明の第一実施形態に係る表示具ユニット１ａを示した斜視図であり、本体フレーム２と第一サブフレーム２０ａと第二サブフレーム２０ｂとを分離した状態を示す斜視図である。
【図２】本発明の第一実施形態に係る表示具ユニット１ａを示した斜視図であり、本体フレーム２に第一サブフレーム２０ａと第二サブフレーム２０ｂが装着された状態を示す斜視図である。
【図３】本発明の第一実施形態に係る表示具ユニット１ａを示した正面図であり、本体フレーム２に第一サブフレーム２０ａと第二サブフレーム２０ｂ、及び脚部２６が装着された状態を示した図である。
【図４】本発明の第一実施形態に係る表示具ユニット１ａを示した斜視図であり、本体フレーム２、第一サブフレーム２０ａ、第二サブフレーム２０ｂ、及び脚部２６のそれぞれに表示部材が装着された状態を示した図である。
【図５】本発明の第二実施形態に係る表示具ユニット１ｂを示した斜視図であり、本体フレーム２、第三サブフレーム２０ｃ、第四サブフレーム２０ｄを分離した状態を示す斜視図である。
【図６】本発明の第三実施形態に係る表示具ユニット１ｃを示した図であり、（ａ）は本体フレーム２に第五サブフレーム２０ｅと脚部２６とが装着された状態を示した正面図であり、（ｂ）は第五サブフレーム２０ｅを示す斜視図であり、（ｃ）は第五サブフレーム２０ｅにサブ第五表示部材１００ｅが装着され、脚部２６に載置された状態を示す斜視図である。
【図７】本発明の第四実施形態に係る表示具ユニット１ｄを示した図であり、（ａ）は本体フレーム２に第六サブフレーム２０ｆと第七サブフレーム２０ｇとが装着された状態を示した正面図であり、（ｂ）はサブ第六表示部材１００ｆに第六サブフレーム２０ｆが装着される状態を示す斜視図である。
【図８】本発明の第四実施形態に係る表示具ユニット１ｄを示した斜視図であり、（ａ）は第六サブフレーム２０ｆにサブ第六表示部材１００ｆが装着された状態を示し、（ｂ）は第七サブフレーム２０ｇにサブ第七表示部材１００ｇが装着された状態を示し、（ｃ）は第七サブフレーム２０ｇにサブ第十表示部材１００ｋが装着された状態を示す。
【図９】本発明の第五実施形態に係る表示具ユニット１ｅを示した図であり、（ａ）は本体フレーム２に、サブ第八表示部材１００ｈを挟んだ一組の第八サブフレーム２０ｈが装着された状態を示した正面図であり、（ｂ）は(a)の斜視図である。
【図１０】本発明の第六実施形態に係る表示具ユニット１ｆを示した図であり、（ａ）は斜視図であり、（ｂ）は(a)に対して第一サブフレーム２０ａと第二サブフレーム２０ｂとが取り外された状態を示す正面図である。
【図１１】本発明の第六実施形態に係る表示具ユニット１ｆを示した第一面側１４から見た斜視図であり、第一扉部１３ａと第二扉部１３ｂとが開かれた状態を示す。
【図１２】本発明の第六実施形態に係る表示具ユニット１ｆを示した図であり、本体フレーム２を縦位置に設置する状態を示した斜視図である。
【図１３】図１２に対する側面図であり、（ａ）は全体を示した図であり、（ｂ）は第一接続部１６、第二接続部１７の第一の例を示した断面図であり、（ｃ）は第一接続部１６、第二接続部１７の第二の例を示した断面図であり、（ｄ）は第三接続部１８、第四接続部１９の第一の例を示した断面図であり、（ｅ）は第三接続部１８、第四接続部１９の第二の例を示した断面図である。
【図１４】本発明の第六実施形態に係る表示具ユニット１ｆを、第一面側１４から見た正面図であり、第一扉部１３ａと第二扉部１３ｂとが開かれ、模様３００ｂが繋がった状態を示す。
【図１５】本発明の第六実施形態に係る表示具ユニット１ｆを示した斜視図であり、（ａ）は表示具ユニット１ｆを第二面側１５から見た斜視図であり、第一扉部１３ａと第二扉部１３ｂとが閉じられ、模様３００ｂが繋がった状態を示し、（ｂ）は表示具ユニット１ｆを第一面側１４から部分的に見た斜視図である。
【発明を実施するための形態】
【００３７】
以下、図面を参照し、本発明を具現化した表示具ユニット１を説明する。参照する図面は、本発明が採用しうる技術的特徴を説明するために用いられるものである。図面に記載されている装置の構成、その他は、それのみに限定する趣旨ではなく、単なる説明例である。
【００３８】
＜各実施形態に共通する構成＞
図１から図４を参照して、本発明の各実施形態に係る共通の構成を説明する。表示具ユニット１は、所定の厚みを有し、内部に本体空間部３を有するコの字状の本体フレーム２と、少なくとも一つのサブフレーム２０を備える。本体フレーム２の外形を形成する面のうち、開放された側の面を本体天面５、本体天面５に対向する側の面を本体外底面８、本体天面５と本体外底面８とを繋ぐ両側の面を本体外側面９とする。本体空間部３を形成する面のうち、本体外底面８の内側を本体内底面６、両側の本体外側面９の内側を本体内側面７とする。
【００３９】
本体空間部３は、少なくとも両側の本体内側面７に本体係合部４を備え、サブフレーム２０は、サブ係合部４０を備える。サブフレーム２０は、本体空間部３に着脱可能であり、本体空間部３は、サブフレーム２０が装着されていない状態において、本体係合部４に本体表示物２８、又は本体表示物２８を支持する本体表示部材１０と係合可能である。サブフレーム２０は、サブ係合部４０にサブ表示物２８０、又はサブ表示物２８０を支持するサブ表示部材１００と係合可能である。
【００４０】
図１（ａ）に示すように、本体表示部材１０は、本体天面５の側から本体係合部４にスライドさせながら挿入する。表示具ユニット１における本体フレーム２、サブフレーム２０、及び後述する脚部２６は種々の材質を採用できる。例えば、木材、樹脂、金属、厚紙、ダンボール、その他の材質で形成することができる。
【００４１】
また、表示具ユニット１は、本体表示物２８とサブ表示物２８０とは異なる形態であり、サブフレーム２０は本体空間部３とは異なる形態の表示物を支持可能である。図１に示す例では、本体表示物２８とサブ表示物２８０とは異なるサイズの長方形状であり、縦横比が異なる場合もある。ここで、形態にはサイズ、形状、表示物の厚み等種々のものが含まれる。
【００４２】
次に、図４、図８、及び図９を参照して本体表示部材１０及びサブ表示部材１００の構成を説明する。本体表示部材１０は、複数の本体板状部材１１を備え、サブ表示部材１００は、複数のサブ板状部材１１０を備える。本体板状部材１１の少なくとも一つは透明であり、サブ板状部材１１０の少なくとも一つは透明である。本体表示部材１０は、本体表示物２８を本体板状部材１１で挟んだ状態で本体係合部４に着脱可能である。サブ表示部材１００は、サブ表示物２８０をサブ板状部材１１０で挟んだ状態でサブ係合部４０に着脱可能である。
【００４３】
本体表示物２８、サブ表示物２８０は、写真、絵、模様、文字等が表示されたもので種々のものが対象となる。本体表示物２８は、単独で本体係合部４に装着する場合は、本体空間部３と本体係合部４（本体凹部）のサイズに合わせた形態であり、サイズと厚みが選定される。本体表示物２８は、本体板状部材１１に挟んで本体表示部材１０として本体係合部４に装着する時は、その形態に適したものが選定される。サブ表示物２８０も同様である。サブ表示物２８０は、サブ空間部３０、及びサブ係合部４０（サブ凹部）のサイズに合わせた形態であり、サイズと厚みが選定される。サブ表示物２８０は、サブ板状部材１１０に挟んでサブ表示部材１００としてサブ係合部４０に装着する時はその形態に適したものが選定される。
【００４４】
本体板状部材１１のうちの透明のものは、本体表示物２８の表示面の側に用いられ、サブ板状部材１１０のうちの透明のものは、サブ表示物２８０の表示面の側に用いられる。本体板状部材１１、サブ板状部材１１０は、透明のものは透明樹脂（アクリル等）、ガラス、透明フィルム等が使用され、透明でないものはあらゆる種類の樹脂、金属、紙（厚紙）の使用が可能である。なお、本体板状部材１１のうちの透明のものは、本体表示物２８の表示面の裏側にも用いられても良い。同様に、サブ板状部材１１０のうちの透明のものは、サブ表示物２８０の表示面の裏側にも用いられても良い。
【００４５】
本体係合部４は、本体凹部が形成され、サブ係合部４０は、サブ凹部が形成されている。表示具ユニット１は、本体表示物２８、又は本体表示物２８を支持する（本体表示物２８を本体板状部材１１で挟んだ状態）本体表示部材１０を、本体凹部に着脱可能である。サブ表示物２８０、又はサブ表示物２８０を支持する（サブ表示物２８０をサブ板状部材１１０で挟んだ状態）サブ表示部材１００は、サブ凹部に着脱可能である。図４は、本体表示物２８を本体板状部材１１で挟んだ本体表示部材１０を本体凹部に装着した状態と、サブ表示物２８０をサブ板状部材１１０で挟んだサブ表示部材１００をサブ凹部に装着した状態の例を示す。
【００４６】
また、表示具ユニット１は、サブフレーム２０が本体空間部３に装着されたとき、本体内底面６又は本体内側面７と、サブフレーム２０とが接触する部分の少なくとも一部には、第一接合部材２１ａ、２１ｂが備えられる。第一接合部材２１ａ、２１ｂは図１に例示している。例として、本体フレーム２の本体内底面６又は本体内側面７に第一接合部材２１ａが備えられる。第一サブフレーム２０ａの第一サブ外底面８０ａ、第一サブ天面５０ａ、又は第一サブ外側面９０ａとが接触する部分の少なくとも一部には、第一接合部材２１ｂが備えられている。なお、図示していないが、図２、図３、図６、図７、図９〜図１１、図１４、図１５においても第一接合部材２１ａ、２１ｂが備えられてもよい。
【００４７】
また、表示具ユニット１は、本体空間部３にサブフレーム２０が装着されたとき、本体フレーム２とサブフレーム２０との模様３００ａが繋がってもよい。模様３００ａは、本体空間部３にサブフレーム２０が装着された状態で、図２、図３に示す一面において模様３００ａが繋がっても良いし、図では現れていない裏面側においても模様３００ａが繋がっても良い。さらに、本体外側面９においても模様３００ａが形成され、一方の面側と他方の面側とを結ぶように模様３００ａが繋がってもよい。例えば、表示具ユニット１の材料として木材が選択されたとき、木目を模様３００ａとして活用することができる。本体フレーム２、サブフレーム２０、脚部２６を一枚の木材から切り出し、木目が繋がるように部品取りすることで木目模様が繋がるよう構成できる。
【００４８】
また、図３、図４に示すように、サブフレーム２０が複数個備えられる場合（詳細は後述する）、第一サブフレーム２０ａと第二サブフレーム２０ｂとの模様３００ａが繋がっても良い。さらに、図３に示すように、後述するサブ空間部３０（第二サブ空間部３０ｂ）に脚部２６が装着された場合、サブフレーム２０と脚部２６とで模様３００ａが繋がっても良い。また、模様３００ａは、本体フレーム２とサブフレーム２０において、必ずしもそれぞれの面の全ての範囲で形成される必要は無く、例えば、各面の中で部分的に模様３００ａが形成されてもよい。なお、模様３００ａは、図２、図３に例示したが、他の例（図６、図７、図９）においても模様３００ａが繋がってもよい。勿論、図２、図３他において模様３００ａが無くても良い。
【００４９】
なお、以上の説明では、サブフレーム２０に係合可能な表示部材は、サブ表示部材１００、表示物はサブ表示物２８０と記載しているが、後述するように各実施形態に応じてそれぞれ複数の形態があって、それらを全て含む総称である。サブ表示部材１００は、サブ第一表示部材１００ａ〜サブ第十表示部材１００ｋの全てを含む。サブ板状部材１１０は、第一サブ板状部材１１０ａ〜第八サブ板状部材１１０ｈの全てを含む。サブ表示物２８０は、第一サブ表示物２８０ａ〜第八サブ表示物２８０ｈの全てを含む。
【００５０】
同様に、表示具ユニット１は、表示具ユニット１ａ〜１ｆの全てを含み、サブフレーム２０は、第一サブフレーム２０ａ〜第八サブフレーム２０ｈ及び支持サブフレーム２００の全てを含む。サブ空間部３０は、第一サブ空間部３０ａ〜第五サブ空間部３０ｅの全てを含み、サブ係合部４０は、第一サブ係合部４０ａ〜第六サブ係合部４０ｆの全てを含む。サブ天面５０は、第一サブ天面５０ａ〜第五サブ天面５０ｅの全てを含む。サブ内底面６０は、第一サブ内底面６０ａ〜第五サブ内底面６０ｅの全てを含む。サブ内側面７０は、第一サブ内側面７０ａ〜第六サブ内側面７０ｆの全てを含む。サブ外底面８０は、第一サブ外底面８０ａ〜第五サブ外底面８０ｅの全てを含む。サブ外側面９０は、第一サブ外側面９０ａ〜第五サブ外側面９０ｅの全てを含む。各実施形態の説明においては、個別の名称と符号を付す。
【００５１】
また、図１〜図９（図２、図３、図５は除く）に示す例では、本体表示物２８及びサブ表示物２８０は、本体板状部材１１又はサブ板状部材１１０に挟まれて本体係合部４又はサブ係合部４０に係合する例を示した。しかしながら、図示しないが、本体表示物２８とサブ表示物２８０は、それぞれ単独で、本体係合部４（本体凹部）又はサブ係合部４０（サブ凹部）に係合しても良い。
【００５２】
また、図１、図２、図５、及び図６に示す例では、本体内底面６に本体係合部４、それぞれのサブ内底面６０にサブ係合部４０が備えられているが、必ずしも必要ではない。また、本体フレーム２とサブフレーム２０は、各図において厚み方向は略同一の寸法で図示している。しかしながら、必ずしも同一の厚みである必要は無く、例えば、本体フレーム２の厚みに対して、サブフレーム２０の厚みが薄くても良いし、その逆でも良い。なお、厚み方向は、図１他に示す方向である。
【００５３】
＜各実施形態に共通する構成が解決する課題とその効果＞
以上説明したように、本発明の各実施形態に係る共通の構成は種々の課題を解決し、その効果を奏する。解決すべき課題は以下の通りである。従来、一つの表示具は、単独のしかも同じ形態の表示物のみを表示するものが一般的であり、複数の表示物を表示できないという課題があった。また、複数の表示物を表示するために構成された表示具（例として特許文献１の実登３２０１９８３号公報等）であっても、表示具の体積が大きくなり、表示する際はもとより、表示具を収納する際に収納性が悪いという課題があった。或いは、一方の表示物を表示する際に、他方の表示物の上に重ねて表示するために、他方の表示物の表面を傷つけるという課題があった。また、表示具ユニット１は、表示物を容易に着脱できるようにするという課題がある。
【００５４】
その課題に対し、本発明の各実施形態に係る共通の構成は以下の効果を奏する。図１〜図９に示すように、表示具ユニット１のサブフレーム２０は、本体空間部３に着脱可能なので、サブフレーム２０を装着した状態でも所定の厚みに納めることができる。本体空間部３は、少なくとも両側の本体内側面７に本体係合部４を備え、サブフレーム２０はサブ係合部４０を備えるので、案内部に対応した枠体が不要である。本体フレーム２は、サブ表示物２８０、サブ表示部材１００に接触しないので傷つけることは無く、サブフレーム２０は、本体表示物２８、本体表示部材１０に接触しないので傷つけることはないという効果がある。また、本体フレーム２は、内部に本体空間部３を有するコの字状なので、開放された側の本体天面５の側から本体表示物２８及び本体表示部材１０を容易に着脱できるという効果がある。
【００５５】
また、複数の表示物を表示する場合、複数の形態の表示物を表示したいという課題がある。その課題に対し、図４、図６、図８に例示するように、本発明の表示具ユニット１は、本体表示物２８とサブ表示物２８０とは異なる形態であり、サブフレーム２０は本体空間部３とは異なる形態の表示物を支持可能である。よって、表示具ユニット１は、複数の形態の表示物を表示できるという効果がある。
【００５６】
また、表示具ユニット１は、表示物を容易に表示可能であり、表示物に傷或いは汚れが付かないようにするという課題がある。その課題に対し、図４、図６、図８に例示するように、本体表示部材１０は、本体表示物２８を透明の部材を含む本体板状部材１１で挟んだ状態で本体係合部４に着脱可能である。よって、表示具ユニット１は、本体表示物２８の表面をカバーした状態で本体係合部４に係合して表示できる。サブ表示部材１００は、サブ表示物２８０をサブ板状部材１１０で挟んだ状態でサブ係合部４０に着脱可能なので、サブ表示物２８０の表面をカバーした状態でサブ係合部４０に係合して表示できる。よって、表示具ユニット１は、表示物を容易に着脱でき、表示物への傷或いは汚れを防止できるという効果がある。
【００５７】
また、表示具ユニット１は、限られた空間において表示される領域を可能な限り大きくするという課題がある。その課題に対し、表示具ユニット１は、本体表示物２８を単独で、又は、本体表示物２８を支持する（本体表示物２８を本体板状部材１１で挟んだ状態）本体表示部材１０を本体凹部に着脱可能なので、本体係合部４は本体内側面７から突出しない。よって、本体表示物２８は広い表示範囲を表示できる。また、表示具ユニット１は、サブ表示物２８０単独で、又は、サブ表示物２８０を支持する（サブ表示物２８０をサブ板状部材１１０で挟んだ状態）サブ表示部材１００をサブ凹部に着脱可能なので、サブ係合部４０はサブ内側面７０から突出しない。よって、サブ表示物２８０は広い表示範囲を表示できるという効果がある。
【００５８】
また、表示具ユニット１は、本体空間部３にサブフレーム２０を装着したときに、安定して装着状態を維持するという課題がある。その課題に対して、サブフレーム２０は、第一接合部材２１ａ、２１ｂによって本体空間部３に固定される。よって、サブフレーム２０を本体空間部３に装着する時、本体フレーム２とサブフレーム２０とが確実に接触した状態となり、安定するという効果がある。
【００５９】
また、表示具ユニット１は、定常的にリビング等の目に付きやすいところに設置することが考えられ、美感に優れたものとしたいという課題がある。さらに、表示具ユニット１をフォトフレームとして利用する場合、冠婚葬祭の特に結婚式の引き出物等に利用されることが想定される。結婚式等では、人と人との結びつきを引き出物に表現したいといったニーズがあり、課題でもある。その課題に対して、表示具ユニット１は、本体空間部３にサブフレーム２０が装着されたとき、本体フレーム２とサブフレーム２０との模様３００ａが繋がってもよい。この場合、本体フレーム２とサブフレーム２０の模様３００ａが繋がるので、目視したユーザーに対して一体感を与えることができ、見栄えが良い。模様３００ａが繋がることで人と人との結びつき、絆を表現することができるという効果がある。また、表示具ユニット１は、サブ空間部３０に脚部２６が装着され、サブ空間部３０と脚部２６とで模様３００ａが繋がると、さらに一体感が増す。また、本体フレーム２とサブフレーム２０は、模様３００ａが図２、図３に示す面及びその裏面にも形成されて繋がる場合は、表示具ユニット１を設置する向きによらずより美感に優れたものとなる。
【００６０】
＜第一実施形態〜第三実施形態に共通の構成＞
次に、図１〜図６を参照して、本発明の第一実施形態〜第三実施形態に係る表示具ユニット１に共通の構成を説明する。サブフレーム２０は、内部にサブ空間部３０を有するコの字状の形態である。サブフレーム２０の外形を形成する面のうち、開放された側の面をサブ天面５０、サブ天面５０に対向する側の面をサブ外底面８０、サブ天面５０とサブ外底面８０とを繋ぐ両側の面をサブ外側面９０とする。サブフレーム２０が本体空間部３に装着されたとき、本体内底面６又は本体内側面７のうちの少なくとも一部と、サブ外底面８０、サブ天面５０、又はサブ外側面９０のうちの少なくとも一部とが接触した状態である。
【００６１】
図２に示した例では、表示具ユニット１は、本体外底面８を接地面側として設置したとき、サブフレーム２０のサブ外底面８０が本体内底面６に接触した例を示している。また、後述するようにサブフレーム２０が複数備えられた場合、それぞれのサブ内底面６０にそれぞれのサブ外底面８０が接触する。それ以外の例として、表示具ユニット１は、本体外側面９を接地面側として設置した場合は、本体内側面７にサブ外側面９０が接触する。サブフレーム２０が複数備えられた場合、それぞれのサブ内側面７０にそれぞれのサブ外側面９０が接触する。また、図６に示す例では、本体外底面８を接地面側として設置したとき、第五サブフレーム２０ｅの第五サブ外側面９０ｅが本体内底面６に接触する。
【００６２】
また、図３、図６に示すように、表示具ユニット１は、本体フレーム２、又はサブフレーム２０の少なくとも一方に着脱可能な脚部２６を備える。脚部２６は、本体空間部３又はサブ空間部３０に収納可能である。図１、図４、図６に示すように、脚部２６は一部に脚部凹部２７を備え、脚部凹部２７は、少なくとも本体表示物２８、本体表示部材１０、サブ表示物２８０、又はサブ表示部材１００のいずれかと係合可能である。本体フレーム２、又はサブフレーム２０の少なくともいずれかは、脚部２６を装着可能である。
【００６３】
＜第一実施形態〜第三実施形態に共通の構成が解決する課題とその効果＞
以上説明したように、本発明の第一実施形態〜第三実施形態に係る共通の構成は種々の課題を解決し、その効果を奏する。解決すべき課題は以下の通りである。表示具ユニット１は、本体フレーム２のうちの本体外底面８または本体外側面９のうちのいずれかを接地面として設置したときに、本体空間部３にサブフレーム２０を安定的に装着するという課題がある。また、表示具ユニット１は、サブフレーム２０に対しても表示物を容易に着脱できるようにするという課題がある。さらに、本体フレーム２、サブフレーム２０を設置したときに、安定した状態にするために接地面側を広げると、収納時に邪魔になるという課題がある。
【００６４】
その課題に対し、図１〜図６に示すように、サブフレーム２０は、本体内底面６又は本体内側面７のうちの少なくとも一部に、サブ外底面８０、サブ天面５０、又はサブ外側面９０のうちの少なくとも一部が接触した状態で本体空間部３に装着される。よって、本体フレーム２の本体外底面８、又は本体外側面９のいずれかを接地面として設置したときに、サブフレーム２０を安定して本体空間部３に装着できるという効果がある。また、サブフレーム２０は、内部にサブ空間部３０を有するコの字状の形態なので、開放された側のサブ天面５０の側から表示物を容易に着脱できるという効果がある。
【００６５】
また、脚部２６は、本体空間部３又はサブ空間部３０に収納可能なので収納性が良く、使用しないときに紛失することを防止できる。脚部２６は、本体フレーム２又はサブフレーム２０を支える機能と、本体表示部材１０又はサブ表示部材１００を支持する二つの機能を備える。よって、表示物の形態、数に応じて使い分けることができるという効果がある。
【００６６】
＜第一実施形態、第二実施形態、及び第四実施形態に共通の解決課題と効果＞
図１〜図５、図７、図８に示すように、表示具ユニット１は、サブフレーム２０（２０ａ〜２０ｄ、２０ｆ、２０ｇ）が複数個備えられ、サブ表示物２８０（２８０ａ、２８０ｂ、２８０ｆ、２８０ｇ、２８０ｋ）は、複数の形態を有する。サブフレーム２０は、複数のサブ表示物２８０又はサブ表示部材１００と係合可能である。図１〜図４に示す例では、第一サブフレーム２０ａと第二サブフレーム２０ｂが備えられている。この場合、第一サブフレーム２０ａに装着される第一サブ表示物２８０ａと第二サブフレーム２０ｂに装着される第二サブ表示物２８０ｂとはサイズが異なる。図７及び図８に示す例では、第六サブフレーム２０ｆに装着されるサブ第六表示部材１００ｆと第七サブフレーム２０ｇに装着されるサブ第七表示部材１００ｇ、サブ第十表示部材１００ｋとは形状が異なる。
【００６７】
また、表示具ユニット１は、第一サブフレーム２０ａと、第二サブフレーム２０ｂとが接触する部分の少なくとも一部には、第二接合部材２１ｃ、２１ｄが備えられる。第二接合部材２１ｃ、２１ｄは図１に例示している。例として、第一サブフレーム２０ａの第一サブ内底面６０ａ又は第一サブ内側面７０ａに第二接合部材２１ｃが備えられる。第二サブフレーム２０ｂの第二サブ外底面８０ｂ、第二サブ天面５０ｂ、又は第二サブ外側面９０ｂとが接触する部分の少なくとも一部には、第二接合部材２１ｄが備えられている。なお、図示していないが、図２、図３、図６、図７、図９〜図１１、図１４、図１５においても第二接合部材２１ｃ、２１ｄが備えられてもよい。
【００６８】
＜第一実施形態、第二実施形態、及び第四実施形態に共通の解決課題と効果＞
複数の表示物を表示する場合、できるだけ多くの形態の表示物を表示したいという課題がある。その課題に対し、表示具ユニット１は、サブフレーム２０が複数個備えられ、サブ表示物２８０は複数の形態を有し、サブフレーム２０は、複数の形態のサブ表示物２８０又はサブ表示部材１００と係合可能である。よって、複数のサブフレーム２０は、それぞれ異なるサブ表示物２８０を表示することができるので、一つの表示具ユニット１で複数の形態の表示物を表示できるという効果がある。
【００６９】
また、表示具ユニット１は、本体空間部３に複数のサブフレーム２０（２０ａ〜２０ｈ）を装着したときに、サブフレーム２０同士を安定して装着状態を維持するという課題がある。その課題に対して、サブフレーム２０は、第二接合部材２１ｃ、２１ｄによってサブフレーム同士が固定される。よって、複数のサブフレーム２０を本体空間部３に装着する時、サブフレーム２０同士が確実に接触した状態となり、安定するという効果がある。
【００７０】
＜第一実施形態に固有の構成＞
次に、本発明の第一実施形態に係る表示具ユニット１ａに固有の構成を説明する。図１〜図４に示すように、表示具ユニット１ａは、本体フレーム２と、第一サブフレーム２０ａと、第二サブフレーム２０ｂと、本体表示部材１０、及び脚部２６を備える。表示具ユニット１ａは、本体内底面６又は本体内側面７と、サブ外底面８０、サブ天面５０、又はサブ外側面９０とが接触する部分の少なくとも一部には、第一接合部材２１ａ、２１ｂが備えられている。図１に示す例では、本体内底面６と第一サブ外底面８０ａとが接触する部分の一部に、第一接合部材２１ａ、２１ｂが備えられている。
【００７１】
図１に示すように、第一サブフレーム２０ａは、本体フレーム２の本体空間部３に対して着脱可能である。第二サブフレーム２０ｂは、第一サブフレーム２０ａの第一サブ空間部３０ａに対して着脱可能である。図２に示す例では、本体フレーム２の本体外底面８を接地面側として設置したとき、第一サブフレーム２０ａは第一サブ外底面８０ａが本体内底面６に接触した状態で本体空間部３に装着される。このとき、図１に示す例では、第一サブフレーム２０ａは、第一サブ外底面８０ａに備えられた第一接合部材２１ｂが、本体内底面６に備えられた第一接合部材２１ａと接合して本体空間部３に固定される。なお、第一接合部材２１ａ、２１ｂは、表示具ユニット１の使用形態に応じて取付位置を変更可能である。
【００７２】
また、図１に示す例では、第二サブフレーム２０ｂは、第二サブ外底面８０ｂに備えられた第二接合部材２１ｄが、第一サブ内底面６０ａに備えられた第二接合部材２１ｃと接合して第一サブ空間部３０ａに固定される。なお、第二接合部材２１ｃ、２１ｄは、表示具ユニット１の使用形態に応じて取付位置を変更可能である。第一接合部材２１ａ、２１ｂ、第二接合部材２１ｃ、２１ｄは、例としてマグネット、面ファスナー、或いは微粘着タイプの粘着剤が使用される。
【００７３】
図３は、本体フレーム２の本体空間部３に第一サブフレーム２０ａが装着され、第一サブ空間部３０ａに第二サブフレーム２０ｂが装着され、第二サブ空間部３０ｂに脚部２６が装着された状態を示す。例として、脚部２６は４個備えられているが、形状或いはサイズによって数は変更される。
【００７４】
図４（ａ）に示すように、本体空間部３は、第一サブフレーム２０ａを外したとき、本体表示部材１０を装着可能である。本体表示部材１０は、２枚の本体板状部材１１の間に本体表示物２８を挟んだ状態で、本体係合部４に装着可能である。また、図４（ｂ）に示すように、第一サブ空間部３０ａは、第二サブフレーム２０ｂを外したとき、サブ第一表示部材１００ａを装着可能である。サブ第一表示部材１００ａは、２枚の第一サブ板状部材１１０ａの間に第一サブ表示物２８０ａを挟んだ状態で、第一サブ係合部４０ａに装着可能である。
【００７５】
また、図４（ｃ）に示すように、第二サブ空間部３０ｂは、脚部２６を外したとき、サブ第二表示部材１００ｂを装着可能である。サブ第二表示部材１００ｂは、２枚の第二サブ板状部材１１０ｂの間に第二サブ表示物２８０ｂを挟んだ状態で、第一サブ係合部４０ａに装着可能である。また、図４（ｄ）に示すように、脚部２６は脚部凹部２７を備え、表示部材の例としてサブ第二表示部材１００ｂを装着し、設置することができる。ここでは、例として、本体表示物２８は２Ｌサイズの写真であり、第一サブ表示物２８０ａはＬサイズの写真であり、第二サブ表示物２８０ｂは名刺サイズの写真である。
【００７６】
また、図１〜図４に示す例では、本体フレーム２は本体外底面８が接地面側、第一サブフレーム２０ａは第一サブ外底面８０ａが接地面側、第二サブフレーム２０ｂは第二サブ外底面８０ｂが接地面側である。本体表示物２８〜第二サブ表示物２８０ｂがいずれも横写真の場合このような形態となる。本体表示物２８〜第二サブ表示物２８０ｂのうちの何れかが縦写真の場合は、本体外側面９、第一サブ外側面９０ａ、又は第二サブ外側面９０ｂが接地面側でも良い。脚部２６は、いずれの場合も接地面側に装着可能である。
【００７７】
＜第１実施形態に固有の構成が解決する課題とその効果＞
以上説明したように、本発明の第一実施形態に係る固有の構成は種々の課題を解決し、その効果を奏する。解決すべき課題は以下の通りである。表示具ユニット１は、本体空間部３に第一サブフレーム２０ａを装着したときに、安定して装着状態を維持するという課題がある。その課題に対して、図１に示すように、第一サブフレーム２０ａは、第一接合部材２１ａ、２１ｂによって本体空間部３に固定される。また、第二サブフレーム２０ｂは、第二接合部材２１ｃ、２１ｄによって第一サブ空間部３０ａに固定される。よって、第一サブフレーム２０ａを本体空間部３に装着する時、本体フレーム２と第一サブフレーム２０ａとが確実に接触した状態となり、安定するという効果がある。また、第二サブフレーム２０ｂを第一サブ空間部３０ａに装着する時、第一サブフレーム２０ａと第二サブフレーム２０ｂとが確実に接触した状態となり、安定するという効果がある。
【００７８】
＜第二実施形態に固有の構成＞
次に、図５を参照して、本発明の第二実施形態に係る表示具ユニット１ｂの構成を説明する。表示具ユニット１ｂの第三サブフレーム２０ｃは、両側の第三サブ外側面９０ｃが、本体係合部４に係合する第一サブ外係合部２２ｃを備える。第三サブフレーム２０ｃは、本体空間部３に対して第一サブ外係合部２２ｃが本体係合部４と係合しながら着脱可能である。ここで、第三サブフレーム２０ｃは、第一サブフレーム２０ａが第一サブ外係合部２２ｃを備えたものと同等である。
【００７９】
また、第四サブフレーム２０ｄの両側の第四サブ外側面９０ｄが、第二サブ外係合部２２ｄを備える。第二サブ外係合部２２ｄは、第三サブフレーム２０ｃの第三サブ係合部４０ｃに係合する。第四サブフレーム２０ｄは、第三サブ空間部３０ｃに対して第二サブ外係合部２２ｄが第三サブ係合部４０ｃと係合しながら着脱可能である。ここで、第四サブフレーム２０ｄは、第二サブフレーム２０ｂが第二サブ外係合部２２ｄを備えたものと同等である。
【００８０】
図５に示すように、第一サブ外係合部２２ｃは第三サブ外側面９０ｃから突出した形状であり、第二サブ外係合部２２ｄは第四サブ外側面９０ｄから突出した形状である。第一サブ外係合部２２ｃは、本体係合部４の本体凹部に案内されて装着される。第二サブ外係合部２２ｄは、第一サブ係合部４０ａのサブ凹部に案内されて装着される。
【００８１】
＜第二実施形態に固有の構成が解決する課題とその効果＞
以上説明したように、本発明の第二実施形態に係る固有の構成は種々の課題を解決し、その効果を奏する。解決すべき課題は以下の通りである。表示具ユニット１ｂは、本体空間部３に第三サブフレーム２０ｃを装着する時に、装着位置を明確にしてスムーズに着脱するという課題がある。その課題に対して、第一サブ外係合部２２ｃは、本体係合部４に案内されて装着されるので、第三サブフレーム２０ｃは装着位置が明確となり、スムーズに着脱できる。また、本体係合部４の本体凹部は、本体表示部材１０を装着可能であるとともに、第三サブフレーム２０ｃを着脱する案内部となる二つの機能を有する。
【００８２】
また、第二サブ外係合部２２ｄは、第三サブ係合部４０ｃに案内されて装着されるので、第四サブフレーム２０ｄは装着位置が明確となり、スムーズに着脱できるという効果がある。さらに、第三サブ係合部４０ｃは、サブ第一表示部材１００ａを装着可能であるとともに、第四サブフレーム２０ｄを着脱する案内部となる二つの機能を有する。
【００８３】
＜第三実施形態に固有の構成＞
次に、図６を参照して，本発明の第三実施形態に係る表示具ユニット１ｃの構成を説明する。表示具ユニット１ｃは、本体フレーム２の本体空間部３に第五サブフレーム２０ｅが着脱可能である。また、第五サブ空間部３０ｅに脚部２６が収納可能である。第五サブフレーム２０ｅは、内部に第五サブ空間部３０ｅを有するコの字状の形態である。第五サブフレーム２０ｅの外形を形成する面のうち、開放された側の面を第五サブ天面５０ｅ、第五サブ天面５０ｅに対向する側の面を第五サブ外底面８０ｅ、第五サブ天面５０ｅと第五サブ外底面８０ｅとを繋ぐ両側の面を第五サブ外側面９０ｅとする。第五サブフレーム２０ｅは、第五サブ外側面９０ｅが本体内底面６と接した状態で本体空間部３に装着される。
【００８４】
＜第三実施形態の構成が解決する課題とその効果＞
以上説明したように、本発明の第三実施形態に係る固有の構成は種々の課題を解決し、その効果を奏する。解決すべき課題は以下の通りである。表示具ユニット１ｃは、写真を表示するために使用する場合、横長サイズのみならず縦長サイズの写真を表示したいという課題がある。その課題に対し、第五サブフレーム２０ｅは、第五サブ外底面８０ｅを接地面がとして設置したとき、いわゆる縦長の第五サブ表示物２８０ｅを装着可能である。よって、本体フレーム２では横長サイズの写真を装着でき、第五サブフレーム２０ｅでは縦長サイズの写真等を装着できるという効果がある。
【００８５】
＜第四実施形態に固有の構成＞
次に、図７、図８を参照して、本発明の第四実施形態に係る表示具ユニット１ｄに固有の構成を説明する。図７に示すように、第六サブフレーム２０ｆ、第七サブフレーム２０ｇは、本体空間部３に装着可能である。第六サブフレーム２０ｆと第七サブフレーム２０ｇはそれぞれ二つのパーツからなる。図７（ｂ）に示すように、第六サブフレーム２０ｆは、第六サブ内側面７０ｆが円弧状の凹み形状となっている。第六サブ係合部４０ｆは、第六サブ内側面７０ｆと同様に円弧状の凹みに合わせて凹んだ形状である。サブ第六表示部材１００ｆは、両サイドが円弧状の形状である。第六サブフレーム２０ｆは、両サイドから矢印の方向に移動させながらサブ第六表示部材１００ｆに装着する。図８（ａ）に示すように、第六サブフレーム２０ｆは、二つのパーツを向かい合わせにしてサブ第六表示部材１００ｆを挟み込んで使用する。
【００８６】
また、第七サブフレーム２０ｇは図８（ｂ）、（ｃ）に示すように、サブ第七表示部材１００ｇ、又はサブ第十表示部材１００ｋの一端を装着して表示可能である。サブ第七表示部材１００ｇは、単独のパーツで使用可能であり、装着する表示部材のサイズ等の制約が少ない。
【００８７】
＜第四実施形態に固有の構成が解決する課題とその効果＞
以上説明したように、本発明の第四実施形態に係る固有の構成は種々の課題を解決し、その効果を奏する。解決すべき課題は以下の通りである。表示具ユニット１ｄで表示する表示物は画一的なサイズ、形状等の形態に限らず種々の形態の表示物を表示させたいという課題がある。その課題に対し、第六サブフレーム２０ｆは、一部が円弧状の表示物を表示可能である。また、第七サブフレーム２０ｇは、表示物の一部のみを装着するものなので、表示物のサイズ或いは形状等の制約を受けにくいという効果がある。
【００８８】
＜第五実施形態に固有の構成＞
次に、図９を参照して、本発明の第五実施形態に係る表示具ユニット１ｅに固有の構成を説明する。図９は、本体フレーム２の本体空間部３に、サブ第八表示部材１００ｈを装着した第八サブフレーム２０ｈが装着された状態を示す。第八サブ表示物２８０ｈはいわゆる縦長の表示物であり、サブ第八表示部材１００ｈはいわゆる縦長の形状であり、第八サブフレーム２０ｈに装着することで本体フレーム２において表示する構成である。
【００８９】
＜第五実施形態に固有の構成が解決する課題とその効果＞
以上説明したように、本発明の第五実施形態に係る固有の構成は種々の課題を解決し、その効果を奏する。解決すべき課題は以下の通りである。本体フレーム２が表示可能な本体表示部材１０はいわゆる横長サイズの表示物である。それに対して、本体フレーム２はそのまま使用しつつ、縦長サイズの表示物を表示させたいという課題がある。その課題に対し、図９に示すように、表示具ユニット１ｅは、第八サブフレーム２０ｈを使用することで、本体フレーム２において縦長サイズの表示物である第八サブ表示物２８０ｈを表示することができる効果がある。
【００９０】
＜第六実施形態に固有の構成＞
次に、図１０〜図１５を参照して、本発明の第六実施形態に係る表示具ユニット１ｆに固有の構成を説明する。図１０に示すように、表示具ユニット１ｆは、本体フレーム２の両側の本体外側面９は連結部１２を備える。連結部１２にて連結され、本体フレーム２に対して開閉可能な扉部１３を備える。扉部１３は、第一扉部１３ａ及び第二扉部１３ｂとからなる。連結部１２は、第一扉連結部１２ａと第二扉連結部１２ｂとからなる。第一扉部１３ａは、第一扉連結部１２ａによって本体フレーム２の一方の本体外側面９と連結され、第二扉部１３ｂは、第二扉連結部１２ｂによって本体フレーム２の他方の本体外側面９と連結される。なお、サブフレーム２０は、例として第１実施形態で示したものを例示して図示している。
【００９１】
図１０（ａ）、（ｂ）に示すように、本体フレーム２に対して扉部１３が閉じられる側を第一面側１４、第一面側１４の反対側を第二面側１５とする。第一扉部１３ａ及び第二扉部１３ｂが閉じられた状態で、本体空間部３は、第二面側１５と本体天面５の側とが開放された収納空間２４（図１０（ｂ）の格子状のハッチング部）となる。サブフレーム２０は、収納空間２４に収納可能である。
【００９２】
また、図１０（ｂ）に示すように、扉部１３を閉じた状態で第二面側１５から表示具ユニット１ｆを見ると、収納空間２４から扉部１３の第一面側１４の一部を目視することができる。例えば、扉部１３の第一面側１４の一部に写真を貼り付けるか、或いは予め印刷、或いは刻印等を施しておけば、表示具ユニット１ｆを閉じた状態でも常時目視できる。
【００９３】
図１１に示すように、表示具ユニット１ｆは、第一扉部１３ａと第二扉部１３ｂを開くことで、本体フレーム２の本体空間部３における第一面側１４を開放し、安定して設置可能となる。扉部１３は、閉じた状態から約１８０度回転することで、本体フレーム２と同一面上とすることができる。
【００９４】
また、図１２、図１３に示すように、表示具ユニット１ｆは、サブフレーム２０のうちの一つである支持サブフレーム２００が第一接続部１６を備え、一方の扉部１３は、第一接続部１６と接続される第二接続部１７を備える。支持サブフレーム２００と一方の扉部１３とは、第一接続部１６と第二接続部１７とで接続され、連結部１２において回転し、他方の扉部１３は、連結部１２において回転したとき他方の扉部１３は接地面側として設置可能である。
【００９５】
また、表示具ユニット１ｆは、支持サブフレーム２００がさらに第三接続部１８を備え、他方の扉部１３は、第三接続部１８と接続される第四接続部１９を備える。第三接続部１８と第四接続部１９とが接続されたとき、接続された支持サブフレーム２００と一方の扉部１３は、他方の扉部１３と接続された状態となる。本体フレーム２と、接続された支持サブフレーム２００と一方の扉部１３と、他方の扉部１３とによって形成される三角形状２５が形成される。
【００９６】
図１２、図１３を参照して、扉部１３のいずれか一方を接地面側として設置する方法を具体的に説明する。例として、第一扉部１３ａが接地面側となる場合を説明する。図１２、図１３に示すように、支持サブフレーム２００の支持サブ外底面８１は第一接続部１６を備える。第二扉部１３ｂの第二扉側面１３１ｂは、第二接続部１７を備える。
【００９７】
図１３に示すように、第一接続部１６と第二接続部１７とを接続すると、第二扉部１３ｂと支持サブフレーム２００とは一直線上に並んだ状態となる。第二扉連結部１２ｂにおいて、本体フレーム２と、接続された支持サブフレーム２００と第二扉部１３ｂとのなす角度θ１が鋭角になるように回転させ（図１２の矢印Ｒの方向）る。図１３に示すように第一扉部１３ａの第一扉側面１３０ｂと支持サブフレーム２００とを接触させると、支持サブフレーム２００と第一扉部１３ａとのなす角度θ３が略直角となる。このとき、第一扉部１３ａと、支持サブフレーム２００の支持サブ天面２５０が接地面側となる。
【００９８】
第一接続部１６と第二接続部１７は種々の構成を採用できる。例として、図１３（ｂ）に示すように、第一接続部１６と第二接続部１７は、互いに引き合うマグネットを採用できる。マグネットは円筒形状であり、第一接続部１６と第二接続部１７は第二扉側面１３１ｂと支持サブ外底面８１のそれぞれの長手方向に沿って、複数個備えられる。また別の例として、図１３（ｃ）に示すように、第一接続部１６は支持サブフレーム２００の支持サブ外底面８１の一部に円筒状の凹部が形成される。第二接続部１７は、第二扉部１３ｂの第二扉側面１３１ｂの一部に、第一接続部１６に対応した先端が球形状である円筒状の凸部が形成される。この場合も同様に、第一接続部１６と第二接続部１７は複数箇所に備えられる。
【００９９】
また、図１３（ｄ）、図１３（ｅ）に示すように、支持サブフレーム２００の一部に第三接続部１８が形成され、第一扉部１３ａの第一扉側面１３０ｂに第四接続部１９が形成されても良い。この場合の構成は、図１３（ｄ）は図１３（ｂ）と同様にマグネットが採用され、図１３（ｅ）は図１３（ｃ）と同様に凹凸形状が採用される。この場合も同様に、第三接続部１８と第四接続部１９は複数箇所に備えられる。
【０１００】
なお、角度θ１と角度θ２は直角、又は鈍角にしても良いが、いずれも鋭角であった方が表示具ユニット１ｆを安定して設置できる。第一接続部１６〜第四接続部１９は他の構成を採用することが可能であり、例えば面ファスナー、微粘着剤、ダボ等の部材、その他の部材の採用が可能である。或いは、第一接続部１６と第二接続部１７、及び、第三接続部１８と第四接続部１９とは、特段接合するための部材を使用せず、単に接触するのみでもよい。以上の構成により、本体フレーム２と、接続された支持サブフレーム２００と第二扉部１３ｂと、第一扉部１３ａとによって三角形状２５が形成される。
【０１０１】
なお、支持サブフレーム２００と第一扉部１３ａとのなす角度θ３は必ずしも略直角でなくてもよい。このように構成することで、表示具ユニット１ｆは、第一扉部１３ａを接地面側として設置できる。本体フレーム２は、本体外側面９が設置面側となり、いわゆる縦位置の本体表示物２８を表示できる。
【０１０２】
次に、図１４、図１５を参照して表示具ユニット１ｆの外観模様について説明する。表示具ユニット１ｆは、本体空間部３にサブフレーム２０が装着され、第一扉部１３ａと第二扉部１３ｂとが開かれたとき、少なくとも第一面側１４又は第二面側１５において、第一扉部１３ａ、本体フレーム２、サブフレーム２０、及び第二扉部１３ｂとの模様３００ｂが繋がる。また、サブフレーム２０のサブ空間部３０に脚部２６が装着され、サブフレーム２０と脚部２６との模様３００ｂが繋がっても良い。図１４では、第二サブフレーム２０ｂの第二サブ空間部３０ｂに脚部２６が装着された例を示す。
【０１０３】
また、図１５（ａ）に示すように、本体外側面９と連結される側の第一扉側面１３０ａは、本体外側面９と模様３００ｂが繋がる。図示しないが、第二扉部１３ｂにおいても、本体外側面９と連結される側の第二扉側面１３１ａは、本体外側面９と模様３００ｂが繋がる。
【０１０４】
図１５（ｂ）は、第二扉部１３ｂが開かれ、第一面側１４から見た斜視図の一部を示す。第二扉部１３ｂは、本体外側面９とは連結されない側の第二扉側面１３１ｂが、第一面側１４と第二面側１５とを結ぶように模様３００ｂが繋がる。図示しないが、第一扉部１３ａにおいて、本体外側面９とは連結されない側の第一扉側面１３０ｂは、第一面側１４と第二面側１５とを結ぶように模様３００ｂが繋がる。なお、模様３００ｂは、必ずしも本体フレーム２とサブフレーム２０との全ての面で繋がる必要は無く、一部で繋がっても良い。
【０１０５】
例えば、表示具ユニット１ｆの材料として木材が選択されたとき、木目を模様３００ｂとして活用することができる。本体フレーム２、サブフレーム２０、第一扉部１３ａ、及び第二扉部１３ｂを一枚の木材から切り出し、木目が繋がるように部品取りすることで木目を模様３００ｂが繋がるよう構成できる。図１４に示す例では、脚部２６の模様３００ｂもサブフレーム２０と繋がるように構成されている。その場合、脚部２６を合わせて一枚の木材から切り出せば、木目を模様３００ｂとして利用できる。或いは、木材に限らず、樹脂、或いは金属を使用したときに印刷、刻印、模様を付けた成形等種々の方法が適用できる。なお、以上は模様３００ｂが形成される場合を説明したが、必ずしも模様３００ｂが形成されなくてものは勿論である。
【０１０６】
＜第六実施形態に固有の構成が解決する課題とその効果＞
以上説明したように、本発明の第六実施形態に係る固有の構成は種々の課題を解決し、その効果を奏する。解決すべき課題は以下の通りである。表示具ユニット１ｆは、本体フレーム２と分離可能なサブフレーム２０があるので、収納時にサブフレーム２０を紛失してしまうという課題がある。その課題を解決するために、図１０に示すように、第一扉部１３ａ及び第二扉部１３ｂが閉じられた状態で、本体空間部３は、第二面側１５と本体天面５の側とが開放された収納空間２４となる。よって、サブフレーム２０は、第一扉部１３ａ及び第二扉部１３ｂに沿わせて収納空間２４に収納できる。表示具ユニット１ｆは、サブフレーム２０を収まり良く収納できる。
【０１０７】
また、図１０に示すように、表示具ユニット１ｆが本体外底面８を接地面側としてのみ設置するよう構成されていると、本体表示物２８はいわゆる横長の表示物に限定されるという課題がある。その課題に対して、表示具ユニット１ｆは、本体フレーム２が本体外底面８を接地面側として設置するときとは異なる方向で設置することができる。すなわち、第一扉部１３ａ又は第二扉部１３ｂを接地面側として設置できる。よって、表示具ユニット１ｆは本体フレーム２において、本体外底面８を接地面側とする場合と第一扉部１３ａ又は第二扉部１３ｂのいずれか一方を接地面側とすることで、異なる向きの本体表示物２８を表示することができる。特に、図１３（ａ）、（ｂ）に示す例のように、表示具ユニット１ｆは、第一接続部１６と第二接続部１７とを積極的に接続すると、第一扉部１３ａ又は第二扉部１３ｂのいずれか一方を接地面側とするときにより安定して設置することができる。
【０１０８】
また、表示具ユニット１ｆは、さらに第三接続部１８と第四接続部１９を備える。これにより、本体フレーム２と、接続された支持サブフレーム２００と一方の扉部１３と、他方の扉部１３とによって三角形状２５が形成される。よって、第一扉部１３ａ又は第二扉部１３ｂのいずれか一方を接地面側として設置したときに安定した状態となるという効果がある。特に、図１３（ｃ）、（ｄ）に示す例のように、表示具ユニット１ｆは、第三接続部１８と第四接続部１９とを積極的に接続すると、第一扉部１３ａ又は第二扉部１３ｂのいずれか一方を接地面側とするときにさらに安定して設置することができる。また、図１３（ａ）に示すように、角度θ３を直角にすると第一扉部１３ａ及び支持サブ天面２５０の双方を接地面にすることができるので、より安定して設置できる。
【０１０９】
また、表示具ユニット１ｆは、定常的にリビング等の目に付きやすいところに設置することが考えられ、美感に優れたものとしたいという課題がある。さらに、表示具ユニット１ｆをフォトフレームとして利用する場合、冠婚葬祭の特に結婚式の引き出物等に利用されることが想定される。結婚式等では、人と人との結びつきを引き出物に表現したいといったニーズがあり、課題でもある。
【０１１０】
その課題に対して、表示具ユニット１ｆは、図１４、図１５に示すように、第一扉部１３ａ、本体フレーム２、サブフレーム２０、及び第二扉部１３ｂとの模様３００ｂが繋がるので、目視したユーザーに対して一体感を与えることができ、見栄えが良い。また、第一面側１４及び第二面側１５の双方において模様３００ｂが繋がる場合は、表示具ユニット１ｆを設置した方向によらず一体感を与え、見栄えが良い。また、サブ空間部３０に脚部２６が装着されて模様３００ｂが繋がる場合は、さらに一体感が増す。さらに、模様３００ｂが繋がることで人と人との結びつき、絆を表現することができるという効果がある。
【０１１１】
＜変形例＞
なお、本発明は上記の実施形態に限定されるものではなく、種々の変更が可能である。例えば、本体表示物２８、サブ表示物２８０は種々の形態を示して説明したが、例として示さなかった他の形態でも可能である。
【符号の説明】
【０１１２】
１、１ａ〜１ｆ    表示具ユニット
２    本体フレーム
３    本体空間部
４    本体係合部
５    本体天面
６    本体内底面
７    本体内側面
８    本体外底面
９    本体外側面
１０    本体表示部材
１１    本体板状部材
１２    連結部
１２ａ    第一連結部
１２ｂ    第二連結部
１３    扉部
１３ａ    第一扉部
１３ｂ    第二扉部
１４    第一面側
１５    第二面側
１６    第一接続部
１７    第二接続部
１８    第三接続部
１９    第四接続部
２０    サブフレーム
２０ａ    第一サブフレーム
２０ｂ    第二サブフレーム
２１ａ，２１ｂ    第一接合部材
２１ｃ、２１ｄ    第二接合部材
２２ｃ    第一サブ外係合部
２２ｄ    第二サブ外係合部
２４    収納空間
２５    三角形状
２６    脚部
２７    脚部凹部
２８    本体表示物
３０    サブ空間部
３０ａ    第一サブ空間部
４０    サブ係合部
４０ａ    第一サブ係合部
５０    サブ天面
８０    サブ外底面
９０    サブ外側面
９０ｂ    第二サブ外側面
１００    サブ表示部材
１１０    サブ板状部材
２００    支持サブフレーム
２８０    サブ表示物
３００ａ    模様
３００ｂ    模様
【図１】
2020178946.tif 000003
【図２】
2020178946.tif 000004
【図３】
2020178946.tif 000005
【図４】
2020178946.tif 000006
【図５】
2020178946.tif 000007
【図６】
2020178946.tif 000008
【図７】
2020178946.tif 000009
【図８】
2020178946.tif 000010
【図９】
2020178946.tif 000011
【図１０】
2020178946.tif 000012
【図１１】
2020178946.tif 000013
【図１２】
2020178946.tif 000014
【図１３】
2020178946.tif 000015
【図１４】
2020178946.tif 000016
【図１５】
2020178946.tif 000017